(57)【特許請求の範囲】
【請求項１】
画像出力装置に入力される画像データに基づいて、所定の媒体に画像を出力する場合に、色変換を行う色変換システムにおいて色再現モデルを作成するための色再現モデル作成装置であって、
前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力する出力手段と、
前記出力手段により出力された前記カラーチャートの各カラーパッチを測色する測色手段と、
前記測色手段の測色結果に基づいて、測色値の変化が起きない値の各色の物理量を合計した物理量、又は測色値の変化の傾きが逆転する値の各色の物理量を合計した物理量を最大物理量として決定する決定手段と、
前記決定手段により決定された前記最大物理量以下のカラーパッチを測色した測色結果を用いて、前記色再現モデルを作成する作成手段と、
を備える色再現モデル作成装置。
【請求項２】
前記出力手段は、前記決定手段により決定された前記最大物理量に基づいて、再度前記画像出力装置により、カラーチャートを出力し、
前記作成手段は、この出力された前記カラーチャートの各カラーパッチの測色値に基づいて、色再現モデルを作成することを特徴とする請求項１記載の色再現モデル作成装置。
【請求項３】
前記作成手段は、前記決定手段により決定された前記最大物理量を超えるカラーパッチを排除した残りのカラーパッチを抽出して、色再現モデルを作成することを特徴とする請求項１記載の色再現モデル作成装置。
【請求項４】
前記出力手段は、前記カラーチャートには、前記物理量が同一の複数のカラーパッチを設け、その物理量が高くなるにつれて前記カラーパッチの数を増加させることを特徴とする請求項１乃至請求項３の何れか１項記載の色再現モデル作成装置。
【請求項５】
前記決定手段は、前記最大物理量が、同一物理量のカラーパッチの測色値のばらつき、物理量の増加に対する測色値変化の飽和、物理量の増加に対する測色値変化の傾きの逆転が発生した物理量を基準として決定することを特徴とする請求項１乃至請求項４の何れか１項記載の色再現モデル作成装置。
【請求項６】
前記決定手段が、前記ばらつき、飽和、逆転の起点となる物理量は、３原色の単位カラーパッチ及び３原色が混ざり合った混合カラーパッチのそれぞれの測色値で発生する物理量をもとに決定することを特徴とする請求項５記載の色再現モデル作成装置。
【請求項７】
前記決定手段は、前記最大物理量を、前記カラーパッチを形成する３原色と黒色の組み合わせによって補正することを特徴とする請求項１乃至請求項６の何れか１項記載の色再現モデル作成装置。
【請求項８】
前記３原色と黒色の組み合わせは、彩度、各色の比率の少なくとも一方で判断することを特徴とする請求項７記載の色再現モデル作成装置。
【請求項９】
画像出力装置に入力される画像データに基づいて、所定の媒体に画像を出力する場合に、色変換を行う色変換システムにおいて色再現モデルを作成するための色再現モデル作成処理をコンピュータに実行させるための色再現モデル作成プログラムであって、
前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力する出力ステップと、
前記出力ステップにより出力された前記カラーチャートの各カラーパッチを測色する測色ステップと、
前記測色ステップの測色結果に基づいて、測色値の変化が起きない値の各色の物理量を合計した物理量、又は測色値の変化の傾きが逆転する値の各色の物理量を合計した物理量を最大物理量として決定する決定ステップと、
前記決定ステップにより決定された前記最大物理量以下のカラーパッチを測色した測色結果を用いて、前記色再現モデルを作成するステップと、
を備えた処理をコンピュータに実行させるための色再現モデル作成プログラム。
【請求項１０】
画像出力装置に入力される画像データに基づいて、所定の媒体に画像を出力する場合に、色変換を行う色変換システムにおいて色再現モデルを作成するための色再現モデル作成方法であって、
前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力し、
当該出力された前記カラーチャートの各カラーパッチを測色し、
測色結果に基づいて、測色値の変化が起きない値の各色の物理量を合計した物理量、又は測色値の変化の傾きが逆転する値の各色の物理量を合計した物理量を最大物理量として決定し、
決定された前記最大物理量以下のカラーパッチを測色した測色結果を用いて、前記色再現モデルを作成することを特徴とする色再現モデル作成方法。
【発明の詳細な説明】
【技術分野】
【０００１】
本発明は、画像出力装置に入力される画像データに基づいて、記録用紙に画像を出力するための色変換プロファイルの作成に使用する色再現モデルの作成方法と、色再現モデルに基づいて作成された色変換プロファイルを記憶する記憶媒体と、当該記憶媒体を搭載する画像形成装置と、色再現モデル作成装置に関するものである。
【背景技術】
【０００２】
画像出力装置は、例えば、レッド（Ｒ）、グリーン（Ｇ）、ブルー（Ｂ）の色で構成される画像データや、シアン（Ｃ）、マゼンタ（Ｍ）、イエロー（Ｙ）、ブラック（Ｋ）の色で構成される画像データが入力されると、当該画像出力装置で再現可能な色変換を行い例えば、ＣＭＹＫの色で構成されるトナーやインクなどの画像形成材料を用いて記録用紙に画像として形成する。
【０００３】
前記色変換は色変換プロファイルを用いて行われ、色変換プロファイルは色再現モデルに基づいて作成される。
【０００４】
色再現モデルとは、画像出力装置が再現可能な色の範囲を示すモデルであり、例えば横軸に彩度、縦軸に明度を用いて表現される。色再現モデルは、画像出力装置で形成されたカラーチャートを測色計で測色することで作成される。
【０００５】
ここで、ＣＭＹＫで構成されるトナーにおいて、最も多量に出力されるときの値を１色につき１００％とする。４色のトナーの物理量の合計をパイルハイト量（Ｐｉｌｅ  Ｈｅｉｇｈｔ量）と称し、これを表すと、４色全てが最大で出力される場合はパイルハイト量が４００％となる。もし、パイルハイト量が４００％に近いような高いパイルハイト量でトナーを使用した場合、記録用紙への転写不良や定着不良による色むら、画像形成材料がインクの場合は記録用紙がインクを十分に吸収しきれないことによるにじみ、が生じる。
【０００６】
このため、パイルハイト量を固定的に４００％以下（例えば２８０％）とし、カラーチャートを作成することがなされている（特許文献１、特許文献２参照）。しかし、パイルハイト量が適正でない場合、作成される色再現モデルが不適正となる。
【０００７】
また予め複数のパイルハイト量に対応した複数のカラーチャートを用意しておき、指定されたパイルハイト量に基づいてカラーチャートを選択することが提案されている（特許文献３参照）。
【特許文献１】特開２００４−５８６２６公報
【特許文献２】特開２００４−１４７２５７公報
【特許文献３】特開２００４−２３０８２６公報
【発明の開示】
【発明が解決しようとする課題】
【０００８】
しかしながら、上記従来技術では、正確なパイルハイト量を決定することが困難であり、結果として適正なカラーチャートを得ることができず、色再現モデルに歪みが生じることになる。
【０００９】
本発明は上記事実を考慮し、画像形成材料の最適な最大物理量を求め、最適な最大物理量を用いた色再現モデル作成装置、色再現モデル作成プログラム、及び色再現モデル作成方法を得るということが目的である。
【課題を解決するための手段】
【００１０】
本発明は、画像出力装置に入力される画像データに基づいて、所定の媒体に画像を出力する場合に、色変換を行う色変換システムにおいて色再現モデルを作成するための色再現モデル作成装置であって、前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力する出力手段と、前記出力手段により出力された前記カラーチャートの各カラーパッチを測色する測色手段と、前記測色手段の測色結果に基づいて、測色値の変化が起きない値の各色の物理量を合計した物理量、又は測色値の変化の傾きが逆転する値の各色の物理量を合計した物理量を最大物理量として決定する決定手段と、前記決定手段により決定された前記最大物理量以下のカラーパッチを測色した測色結果を用いて、前記色再現モデルを作成する作成手段と、を備える。
【００１１】
本発明によれば、出力手段が画像出力装置により、カラーチャートを出力し、それを例えば測色手段である測色計で測色し、測色結果に基づいて測色値の変化が起きない値の各色の物理量を合計した物理量、又は測色値の変化の傾きが逆転する値の各色の物理量を合計した物理量を最大物理量として決定手段が決定する。物理量とは、トナーの量である。そして、決定された最大物理量以下のカラーパッチを測色した測色結果を用いて作成手段色再現モデルを作成する。従って、色再現モデルの歪みをなくすことができる。
【００１２】
また、本発明において、前記決定された前記最大物理量に基づいて、再度前記画像出力装置により、カラーチャートを出力し、この出力された前記カラーチャートの各カラーパッチの測色値に基づいて、色再現モデルを作成することを特徴とする。
【００１３】
画像出力装置は、決定された最大物理量に基づいて再びカラーチャートを出力する。そして、当該カラーチャートの各カラーパッチを測色し測色値に基づいて色再現モデルを作成する。これにより、色再現モデルの精度を高めることができる。
【００１４】
さらに、本発明において、前記決定された前記最大物理量を超えるカラーパッチを排除した残りのカラーパッチを抽出して、色再現モデルを作成することを特徴とする。
【００１５】
決定された最大物理量を超えるカラーパッチを排除した、残りのカラーパッチを抽出して色再現モデルを作成することで、歪みのない色再現モデルを作成することができる。
【００１６】
また、本発明において、前記カラーチャートには、前記物理量が同一の複数のカラーパッチを設け、その物理量が高くなるにつれて前記カラーパッチの数を増加させることを特徴とする。
【００１７】
カラーチャートに、物理量が同一のカラーパッチを複数設けることで測色値の精度を高め、物理量が高くなるにつれてカラーパッチの数を増加させることで最大物理量の精度を高めることができる。
【００１８】
さらに、本発明において、前記最大物理量が、同一物理量のカラーパッチの測色値のばらつき、物理量の増加に対する測色値変化の飽和、物理量の増加に対する測色値変化の傾きの逆転が発生した物理量を基準として決定することを特徴とする。
【００１９】
最大物理量を、測色値のばらつき、測色値変化の飽和、測色値変化の傾きの逆転が発生した物理量を基準として決定する。このため、最大物理量を決定する基準を明確にし、最大物理量の決定を一意的に行うことができる。
【００２０】
また、本発明において、前記ばらつき、飽和、逆転の起点となる物理量は、３原色の単位カラーパッチ及び３原色が混ざり合った混合カラーパッチのそれぞれの測色値で発生する物理量をもとに決定することを特徴とする。
【００２１】
３原色の単位カラーパッチ及び３原色が混ざり合った混合カラーパッチの測色値からばらつき、飽和、逆転の起点となる物理量が決定される。従って、３原色を構成する例えばシアン、マゼンタ、イエローに基づく様々な色から最大物理量を決定することができる。
【００２２】
さらに、本発明において、前記最大物理量を、前記カラーパッチを形成する３原色と黒色の組み合わせによって補正することを特徴とする。
【００２３】
決定された最大物理量を、３原色と黒色の組み合わせによって補正することで、物理量が同一でも３原色と黒色の組み合わせによっては異なる色に対して、補正した最大物理量を与えることができる。
【００２４】
また、本発明において、前記３原色と黒色の組み合わせは、彩度、各色の比率の少なくとも一方で判断することを特徴とする。
【００２５】
３原色と黒色の組み合わせを彩度、各色の比率の少なくとも一方で判断し、それに基づいて最大物理量を補正する。従って、同一の最大物理量であるが彩度、各色の比率が異なる色に対して最大物理量の補正が行われる。
【００３２】
また、本発明は、画像出力装置に入力される画像データに基づいて、所定の媒体に画像を出力する場合に、色変換を行う色変換システムにおいて色再現モデルを作成するための色再現モデル作成処理をコンピュータに実行させるための色再現モデル作成プログラムであって、前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力する出力ステップと、前記出力ステップにより出力された前記カラーチャートの各カラーパッチを測色する測色ステップと、前記測色ステップの測色結果に基づいて、測色値の変化が起きない値の各色の物理量を合計した物理量、又は測色値の変化の傾きが逆転する値の各色の物理量を合計した物理量を最大物理量として決定する決定ステップと、前記決定ステップにより決定された前記最大物理量以下のカラーパッチを測色した測色結果を用いて、前記色再現モデルを作成するステップと、を備えた処理をコンピュータに実行させるためのものである。
また、本発明は、画像出力装置に入力される画像データに基づいて、所定の媒体に画像を出力する場合に、色変換を行う色変換システムにおいて色再現モデルを作成するための色再現モデル作成方法であって、前記画像出力装置により、少なくとも予め濃度に依存するトナーの物理量が既知であり、前記物理量を０から、各色の前記物理量の最大量を合計した量の範囲で、前記物理量を増加させて形成される複数のカラーパッチで構成されるカラーチャートを出力し、当該出力された前記カラーチャートの各カラーパッチを測色し、測色結果に基づいて、測色値の変化が起きない値の各色の物理量を合計した物理量、又は測色値の変化の傾きが逆転する値の各色の物理量を合計した物理量を最大物理量として決定し、決定された前記最大物理量以下のカラーパッチを測色した測色結果を用いて、前記色再現モデルを作成する。
【００３３】
本発明によれば、画像出力装置に入力される画像データに基づいて、所定の媒体に画像を出力する場合に用いる、色変換システムの色再現モデルの歪みをなくすことができる。
【発明の効果】
【００３６】
以上説明した如く本発明では、画像形成材料の最適な最大物理量を求め、最適な最大物理量を用いた色再現モデル作成装置、色再現モデル作成プログラム、及び色再現モデル作成方法を得るという優れた効果を有する。
【発明を実施するための最良の形態】
【００３７】
（第１の実施例）
図１には、本実施の形態に係る画像出力システム１０が示されている。
【００３８】
画像出力システム１０は、画像形成装置１２と測色計１４とパソコン１６とが、ネットワーク１８を介して接続されることで構成されている。
【００３９】
画像形成装置１２は、トナー現像で画像データに基づいて所定の媒体である記録用紙２０に画像を形成する。
【００４０】
測色計１４は、画像形成装置１２から出力された記録用紙２０を測色し、色の分布をＬ＊ａ＊ｂ＊表色系、Ｌ＊Ｃ＊ｈ表色系などの各種表色系に基づいて数値化された測色値として表す。測色によって得られた測色値は、パソコン１６へネットワーク１８を介して送信される。また、測色計１４は、パソコン１６とネットワーク１８を用いて接続されず、例えば、ＲＳ−２３２ＣやＵＳＢ（Ｕｎｉｖｅｒｓａｌ  Ｓｅｒｉａｌ  Ｂｕｓ）によって接続されてもよい。
【００４１】
パソコン１６は、測色計で得られた測色値の処理を行い、処理結果や、画像データを画像形成装置１２へネットワーク１８を介して送信する。
【００４２】
図２には、画像形成装置１２とパソコン１６との制御の要部を表すブロック図を示す。
【００４３】
画像形成装置１２は、マイクロコンピュータ１００を備えている。
【００４４】
マイクロコンピュータ１００は、画像形成装置１２の制御を司り、コントロールバスやデータバス等のバス１０２を介してモジュール制御部１０４とネットワークインターフェース１０６と記憶媒体であるＨＤＤ１０８と接続されている。
【００４５】
モジュール制御部１０４は、マイクロコンピュータ１００からの制御信号に基づいて、原稿に記された画像を読み取り画像データとするスキャナモジュール１１０と、画像データをトナーを用いて記録用紙２０に画像として形成するプリンタモジュール１１２とを制御する。
【００４６】
ネットワークインターフェース１０６は、ネットワーク１８を介してパソコン１６と接続されている。
【００４７】
ＨＤＤ１０８は、スキャナモジュール１１０で読み取った画像データや、パソコン１６から送信された画像データ等を記憶する。
【００４８】
パソコン１６は、ＣＰＵ２００を備えている。ＣＰＵ２００は、入力された種々のデータに対して計算処理を行っており、バス２０２を介してＲＯＭ２０４とＲＡＭ２０６とＨＤＤ２０８とネットワークインターフェース２１０と接続される。
【００４９】
ＣＰＵ２００の処理に合わせて、ＲＯＭ２０４はプログラムの読み出しを行い、ＲＡＭ２０６はデータやプログラムの書き込み、読み出しを行う。
【００５０】
ＨＤＤ２０８は、パソコン１６で作成された画像データやその他種々のデータを記憶する。
【００５１】
ネットワークインターフェース２１０は、ネットワーク１８を介して画像形成装置１２と接続され、画像データ等のデータの送受信を行う。
【００５２】
ここで、画像形成装置１２は、ＲＧＢの色で構成される画像データを、ＣＭＹＫの色で構成される画像とするために、色再現モデルに基づいて作成された色変換プロファイルを用いて色変換を行う。色再現モデルは、画像形成装置１２で記録用紙２０に形成されたカラーチャートを、測色計１４で測色した結果に基づいて作成される。
【００５３】
当該カラーチャートは、トナー濃度に依存する物理量であるパイルハイト量が既知である複数のカラーパッチから構成される。しかし、パイルハイト量の最大量が適当でない場合は、記録用紙２０に形成されるカラーパッチに転写不良等が発生する。そのため、カラーパッチを測色することで得られる色再現モデルの輪郭に歪みが生じてしまい、良好な色再現モデルが得られない。そのため、色再現モデルの輪郭が所定の歪み量以下となるような最適な最大パイルハイト量を求める必要がある。
【００５４】
図３は、最適な最大パイルハイト量を決定するパソコン１６のＣＰＵ２００の詳細を機能的に示した機能ブロック図である。
【００５５】
ＣＰＵ２００は、パイルハイト量決定部３００と色再現モデル作成部３０２と色変換プロファイル作成部３０４とを備えている。さらに、ＣＰＵ２００は、パイルハイト量設定部３１０とパイルハイト量メモリ３１２と適否判断部３１４とカラーチャート出力制御部３１６とを備えている。
【００５６】
色再現モデル作成部３０２は、測色計１４からパソコン１６へ送信された測色値を受け取り、色再現モデルを作成する。色再現モデル作成部３０２は、色変換プロファイル作成部３０４と接続されており、作成した色再現モデルを色変換プロファイル作成部３０４に送信する。
【００５７】
色変換プロファイル作成部３０４では、受信した色再現モデルに基づいて、色変換プロファイルを作成し、画像形成装置１２へ当該色変換プロファイルを送信する。画像形成装置１２へ送信された色変換プロファイルは、画像形成装置１２が搭載するＨＤＤ１０８に記憶される。なお、ＨＤＤ１０８にかぎらず図示しないＲＯＭでもよい。
【００５８】
パイルハイト量決定部３００は測色値解析部３０６と最大量決定部３０８とから構成される。
【００５９】
測色値解析部３０６は、測色計１４からパソコン１６へ送信された測色値を受け取り、後述する所定の基準で解析を行う。また、測色値解析部３０６は、最大量決定部３０８と接続されており、解析結果を最大量決定部３０８へ送信する。
【００６０】
最大量決定部３０８は、測色値解析部３０６で解析された結果を受信し、当該結果に基づいて最大パイルハイト量を決定する。最大量決定部３０８は、適否判断部３１４と接続されている。
【００６１】
適否判断部３１４は、パイルハイト量メモリ３１２から読み取った基準パイルハイト量と、最大量決定部３０８で決定した最大パイルハイト量を比較し、基準パイルハイト量が最大パイルハイト量として適しているか否かを判断する。
【００６２】
ここで、基準パイルハイト量とは、最大パイルハイト量を決定するためのカラーチャートを出力する場合に用いるパイルハイト量である。
【００６３】
適否判断部３１４は、色再現モデル作成部３０２とパイルハイト量設定部３１０と接続されており、基準パイルハイト量が最大パイルハイト量に適していない場合は、最大パイルハイト量をパイルハイト量設定部３１０へ送信する。一方、基準パイルハイト量が最大パイルハイト量に適している場合は、色再現モデル作成部３０２へ最大パイルハイト量（＝基準パイルハイト量）を送信する。
【００６４】
パイルハイト量設定部３１０は、色再現モデル作成部３０２での色再現モデル作成時のパイルハイト量を設定する作用を有し、初期時は、パイルハイト量メモリ３１２から読み取った基準パイルハイト量をカラーチャート出力制御部３１６へ送信する。フィードバック時は適否判断部３１４で最大量決定部３０８から入力された最大パイルハイト値をカラーチャート出力制御部３１６へ送信する。
【００６５】
カラーチャート出力制御部３１６は、パイルハイト量設定部３１０から受け取ったパイルハイト量でカラーチャートを形成する、カラーチャート形成信号を画像形成装置１２へ送信する。
【００６６】
また、パソコン１６が有するＨＤＤ２０８は、カラーチャートデータ記憶部３１８を備え、カラーチャートの画像データであるカラーチャートデータを記憶する。
【００６７】
カラーチャートデータは、必要に応じてカラーチャート出力制御部３１６を介して画像形成装置１２のＨＤＤ１０８に記憶され、記録用紙２０にカラーチャートとして形成される。
【００６８】
また、前述のしたようにカラーチャートは、パイルハイト量が既知である複数のカラーパッチから構成される。
【００６９】
図４に、縦軸をカラーパッチの数、横軸をパイルハイト量として、パイルハイト量とカラーパッチの数との関係を示す。
【００７０】
ここで、画像形成装置１２が、ＣＭＹＫの４色全てについて最大でトナーを出力する場合のパイルハイト量を４００％、全くトナーを出力しない場合のパイルハイト量を０％とする。
【００７１】
パイルハイト量が０％から２００％では、カラーパッチの数は２つであるが、パイルハイト量が２００％を超えると、パイルハイト量が高いカラーパッチほど、カラーパッチの数を増す。
【００７２】
このように、パイルハイト量の増加と共に、カラーパッチの数も増加させ、パイルハイト量が４００％で最大とする。
【００７３】
図４で示す数値は一例であり、パイルハイト量とカラーパッチとが図４で示す関係と同様の関係を有しているならば異なってもよい。また、パイルハイト量の増加に対するカラーパッチの数の増加を線形的な変化とせずに、非線形的な変化としてもよい。
【００７４】
以下に第１の実施の形態の作用を説明する。
【００７５】
画像形成装置１２によって記録用紙２０に形成されたカラーチャートのカラーパッチを、測色計１４で測色した結果、得られた測色値の解析について説明する。
【００７６】
測色値の解析は、測色値解析部３０６で行われ、当該解析結果に基づいて最大パイルハイト量を決定する。
【００７７】
図５（Ａ）乃至図５（Ｃ）には、最大パイルハイトを求めるための基準となるパイルハイト量を求める方法を示している。
【００７８】
図５（Ａ）は、測色値をＬ＊ａ＊ｂ＊表色系で表し、Ｌ＊は省略して縦軸をｂ＊（色の変化が黄から青）、横軸をａ＊（色の変化が赤から緑）として、パイルハイト量が同一の複数のカラーバッチから得た、測色値のばらつきの大きさを示している。例として、図５（Ａ）のＡで示される円がパイルハイト量２４０％のばらつき、図５（Ａ）のＢで示される円がパイルハイト量２８０％のばらつき、図５（Ａ）のＣで示される円がパイルハイト量３２０％のばらつきを表している。
【００７９】
パイルハイト量が多いほうが、画像形成装置１２で表現可能な色の範囲が広がる。しかし、ばらつきが予想以上に大きいと転写不良等により、トナーが記録用紙２０に安定して載っていない可能性がある。そのようなばらつきが生じていないパイルハイト量が、最大パイルハイト量を決定する基準となる。
【００８０】
また、図５（Ｂ）は、縦軸をＬ＊（明度）又はＣ＊（彩度）、横軸をパイルハイト量とし、測色値が飽和するパイルハイト量について示している。
【００８１】
図５（Ｂ）の点Ｄで示すように、パイルハイト量が多くなっても、Ｌ＊あるいはＣ＊の変化が生じなくなる値がある。これは、図５（Ｂ）の点Ｄで示されたパイルハイト量以上にトナー量を増したとしても、色の変化は起きないということを表している。すなわち飽和である。この飽和が生じたパイルハイト量が最大パイルハイト量を決定する基準となる。
【００８２】
さらに、図５（Ｃ）は、縦軸をＬ＊又はＣ＊、横軸をパイルハイト量として、パイルハイト量の増加に対する測色値変化の傾きの逆転について示している。
【００８３】
図５（Ｃ）の点Ｅが示すように、トナー量のパイルハイト量が高くなるとＬ＊あるいはＣ＊の変化の傾きが逆転する値がある。これは、図５（Ｂ）の点Ｅで示されたパイルハイト量以上のトナー量において、トナーが記録用紙２０に適切に転写あるいは定着されていないことを示している。この傾きの逆転が生じるパイルハイト量が最大パイルハイト量を決定する基準となる。
【００８４】
これら、ばらつき、飽和、逆転の起点となるパイルハイト量は３原色（シアン、マゼンタ、イエロー）の単位カラーパッチ及び３原色が混ざり合った混合カラーパッチのそれぞれの測色値で発生するパイルハイト量から求める。
【００８５】
また、上記３つの基準だけでなく、その他最大パイルハイト量を決定する基準となるのに有効な解析方法があれば、それも用いてよい。
【００８６】
次に、図６のフローチャートに従い、最大パイルハイト量を決定し、色再現モデルを作成するまでの処理について説明する。
【００８７】
ステップ４００で、画像形成装置１２が、カラーチャートを記録用紙２０に形成する。カラーチャートを形成するときのパイルハイト量は、パイルハイト量メモリ３１２に格納されている基準パイルハイト量（パイルハイト量０％から４００％の間の固定値）を用いる。
【００８８】
次にステップ４０２で、測色計１４がカラーチャートを構成するカラーパッチの測色を行う。
【００８９】
次にステップ４０４で、測色計１４による測色で得られた測色値をパソコン１６へ送信し、パソコン１６は測色値を受信する。
【００９０】
次にステップ４０６で、測色値解析部３０６で測色値を解析する。
【００９１】
次にステップ４０８で、測色値解析部３０６による測色値の解析結果から、最大量決定部３０８が最大パイルハイト量を決定する。
【００９２】
次に、ステップ４０９で適否判断部３１４が、基準パイルハイト量が最大量決定部３０８で決定された最大パイルハイト量に適しているか否かを判断する。適している場合は判断が肯定判定とされ、ステップ４１６へ移行する。一方、適していないと判断された場合は、判断は否定判定とされ、ステップ４１０へ移行する。
【００９３】
ステップ４１０では、画像形成装置１２が、パイルハイト量決定部３００で決定した最大パイルハイト量をしきい値としてカラーチャートを記録用紙２０に形成する。
【００９４】
次にステップ４１２で、測色計１４が、ステップ４１０において記録用紙２０に画像形成されたカラーチャートを構成するカラーパッチの測色を行う。
【００９５】
次にステップ４１４で、測色計１４が測色値をパソコン１６へ送信し、パソコン１６は測色値を受信する。
【００９６】
次にステップ４１６で、ステップ４１４からステップ４１６へ移行した場合は、ステップ４１２でカラーパッチを測色して得た測色値に基づいて、色再現モデル作成部３０２が色再現モデルを作成し、色再現モデル作成処理を終了する。また、ステップ４０９からステップ４１６へ移行した場合は、ステップ４０２でカラーパッチを測色して得た測色値に基づいて色再現モデル作成部３０２が色再現モデルを作成し、色再現モデル作成処理を終了する。
【００９７】
図６で説明した方法により色再現モデルが作成されたら、色変換プロファイル作成部３０４で当該色再現モデルに基づいて色変換プロファイルが作成される。
【００９８】
当該色変換プロファイルは、パソコン１６から画像形成装置１２へ送信され、画像形成装置１２が搭載するＨＤＤ１０８に記憶される。
【００９９】
以上説明したように、第１の実施の形態によれば、パイルハイト量の制限が行われていないカラーチャートを記録用紙２０に形成し、当該カラーチャートを測色計１４で測色し、測色値を得る。当該測色値を解析することで最大パイルハイト量を求めて、最大パイルハイト量に基づいて再びカラーチャートを記録用紙２０に形成、測色し、その測色値に基づいて色再現モデルを作成する。当該色再現モデルに基づいて作成された色変換プロファイルは、画像形成装置１２が搭載するＨＤＤに記憶される。
【０１００】
（第２の実施の形態）
上記第１の実施の形態においては、画像形成装置１２は、２度、カラーチャートを記録用紙２０に形成している。しかし、第２の実施の形態においては、１度のカラーチャートの形成のみで色再現モデルを作成することを特徴としている。
【０１０１】
ここで、図７を参照して第２の実施の形態に係る、パソコン１６が備えるＣＰＵ２００の詳細を機能的に示した機能ブロック図を示す。以下、前記第１の実施の形態と同一構成部分については、同一の符号を付して、その構成の説明を省略する。
【０１０２】
第２の実施の形態では、パイルハイト量決定部３００と色再現モデル作成部３０２とが、その間にデータ抽出部５００を加えることで接続される。さらに、データ抽出部５００は、測色計１４と接続され、パイルハイト量決定部３００で決定された最大パイルハイト量と測色計１４から測色値とを受け取る。
【０１０３】
また、データ抽出部５００は、パイルハイト量決定部で決定された最大パイルハイト量をしきい値として、当該最大パイルハイト量を超えて作成されたカラーパッチを排除した残りのカラーパッチの測色値を、色再現モデル作成部３０２へ送信する。
【０１０４】
次に、図８のフローチャートに従い、第２の実施の形態における最大パイルハイト量を決定し、色再現モデルを作成するまでの処理について説明する。第１の実施の形態にかかる図６のフローチャートと同一のステップは、追加されるステップの前後についてのみ説明し、他の同一のステップについては同一の符号を付して説明を省略する。
【０１０５】
ステップ４０８において、トナー量の最大パイルハイト量が決定されると、ステップ６００へ移行する。
【０１０６】
ステップ６００では、データ抽出部５００が、最大パイルハイト量をしきい値として、最大パイルハイト量以下のカラーパッチの測色値を抽出する。
【０１０７】
次にステップ６０２で、色再現モデル作成部３０２がデータ抽出部５００で抽出したカラーパッチの測色値に基づいて、色再現モデルを作成し、色再現モデル作成処理を終了する。
【０１０８】
以上説明したように、第２の実施例によれば、１度のカラーチャートの形成のみで、色変換プロファイルを作成することができ、色変換プロファイルを作成する時間の短縮が可能となる。
【０１０９】
（第３の実施の形態）
次に、本発明に係る第３の実施の形態について説明する。
【０１１０】
第３の実施の形態では、最大パイルハイト量を、カラーパッチを形成する３原色の組み合わせによって補正することを特徴とする。
【０１１１】
第３の実施の形態では、第１の実施の形態に係る図３又は第２の実施の形態に係る図７のパイルハイト量決定部３００に、最大パイルハイト量を補正する補正機能を加える。
【０１１２】
図９（Ａ）と図９（Ｂ）とに、最大パイルハイト量を補正する場合の判断要素となる、３原色の組み合わせの例を示す。
【０１１３】
図９（Ａ）は、ＣＭＹＫのトナーのパイルハイト量が同一（例えば２８０％）の色において、彩度によって最大パイルハイト量を補正することを示している。図９（Ａ）では、一例として、Ｃ、Ｍ、Ｙ、Ｋ各々のトナーの比率が７０％の場合を、彩度が標準であるとしている。標準に比べ、Ｋの比率が高い場合を彩度が低いとし、Ｋの比率が高い場合を彩度が高いとしている。
【０１１４】
彩度が低い場合には、最大量決定部３０８が、最大パイルハイト量を高くするように補正する。彩度が低い場合に最大パイルハイト量を高くすることで、画像形成装置１２の表現できる彩度の低い色の範囲が広がる。
【０１１５】
一方、彩度が高い場合には、最大量決定部３０８が、最大パイルハイト量を低くするように補正する。彩度の高い色は、最大パイルハイト量が低めでも表現できるためである。
【０１１６】
図９（Ｂ）は、パイルハイト量（例えば２４０％）が同一の色において、トナーの構成比率の違いによって最大パイルハイト量を補正することを示している。
【０１１７】
図９（Ｂ）では、一例として、トナーがＹ、Ｍ、Ｃの順で転写されるとし、Ｃ、Ｍ、Ｙ各々のトナーの比率が８０％の場合を標準としている。
【０１１８】
転写順の早いトナー量の比率が転写順の遅いトナー量に比べ低い場合（Ｙ４０％、Ｍ１００％、Ｃ１００％の場合）は、転写順の遅いトナーの一部は転写順の早いトナーの上に載る、又一部は記録用紙２０の上に載る、という可能性がある。そのため、転写順の遅いトナーの転写条件が場所によって異なり、それによってトナーの定着不良が起き、色再現モデルに歪が生じる可能性がある。
【０１１９】
そこで、トナー量を少なくすれば、トナーが不要に重ならず転写条件が場所によって異なる可能性が低くなる。そのため、最大量決定部３０８が、最大パイルハイト量を低くするように補正する。
【０１２０】
一方、転写順の早いトナー量の比率が転写順の遅いトナー量に比べ高い場合（Ｙ１００％、Ｍ１００％、Ｃ４０％の場合）は、転写順の早いトナーの上に、転写順の遅いトナーが全て載るため、トナーの転写条件が部分によって異なることが無いため、安定して記録用紙に定着する。
【０１２１】
トナーが安定して記録用紙２０に定着できるならば、最大パイルハイト量を高くすることで、色再現モデルに歪を生じさせることなく、画像形成装置１２が再現可能な色の範囲を広げることをできる。そのため、最大量決定部３０８が、最大パイルハイト量を高くするように補正する。
【０１２２】
（変形例）
第１乃至第３の実施の形態において、パソコン１６が備えるＣＰＵ２００は、最大パイルハイト量を決定して、それに基づいて色再現モデル並びに色変換プロファイルを作成する機能を有している（図３、図７参照）が、これらの機能を画像形成装置１２のマイクロコンピュータ１００（図２参照）が備えるとしてもよい。
【０１２３】
そして、測色計１４でカラーチャートを測色した測色値を画像形成装置１２がネットワーク１８、あるいはＲＳ−２３２Ｃ、あるいはＵＳＢを介して受け取ることで、パソコン１６を用いずに最大パイルハイト量を決定し、色再現モデルから色変換プロファイルを作成することが可能となる。
【図面の簡単な説明】
【０１２４】
【図１】画像出力システムを表す概略図である。
【図２】画像形成装置とパソコンとの概略構成を表すブロック図である。
【図３】第１の実施の形態に係る、パソコンのＣＰＵの詳細を機能的に示した機能ブロック図である。
【図４】カラーチャートにおけるパイルハイト量とカラーパッチの数の関係を示す図である。
【図５】最大パイルハイト量を決定するパイルハイト量の基準を示す図である。（Ａ）は、パイルハイト量が同一である複数のカラーバッチから得た、測色値のばらつきの大きさを示す。（Ｂ）は、パイルハイト量の増加に対する測色値変化の飽和を示す。（Ｃ）は、パイルハイト量の増加に対する測色値変化の傾きの逆転を示す。
【図６】第１の実施の形態に係る、最大パイルハイト量を決定し、色再現モデルを作成するまでの処理の流れを示すフローチャートである。
【図７】第２の実施の形態に係る、パソコンのＣＰＵの詳細を機能的に示した機能ブロック図である。
【図８】第２の実施の形態に係る、最大パイルハイト量を決定し、色再現モデルを作成するまでの処理の流れを示すフローチャートである。
【図９】第３の実施の形態に係る、最大パイルハイト量を補正する場合の判断要素となる、３原色の組み合わせを示す図である。（Ａ）はパイルハイト量が同一の色において、彩度によって補正をすることを示す図である。（Ｂ）は、パイルハイト量が同一の色において、トナーの構成比率の違いによって補正をすることを示す図である。
【符号の説明】
【０１２５】
１０    画像出力システム
１２    画像形成装置（画像出力装置）
１４    測色計
１６    パソコン
１８    ネットワーク
２０    記録用紙（所定の媒体）
１００    マイクロコンピュータ
１０２    バス
１０４    モジュール制御部
１０６    ネットワークインターフェース
１０８    ＨＤＤ（記憶媒体）
１１０    スキャナモジュール
１１２    プリンタモジュール
２００    ＣＰＵ
２０２    バス
２０４    ＲＯＭ
２０６    ＲＡＭ
２０８    ＨＤＤ
２１０    ネットワークインターフェース
３００    パイルハイト量決定部
３０２    色再現モデル作成部
３０４    色変換プロファイル作成部
３０６    測色値解析部
３０８    最大量決定部
３１０    パイルハイト量設定部
３１２    パイルハイト量メモリ
３１４    適否判断部
３１６    カラーチャート出力制御部
３１８    カラーチャートデータ記憶部
５００    データ抽出部
【図１】
0004835275.tif 000002
【図２】
0004835275.tif 000003
【図３】
0004835275.tif 000004
【図４】
0004835275.tif 000005
【図５】
0004835275.tif 000006
【図６】
0004835275.tif 000007
【図７】
0004835275.tif 000008
【図８】
0004835275.tif 000009
【図９】
0004835275.tif 000010